(57)【要約】【課題】実際の看板設置場所の状態と、その看板設置場所に設置される看板の状態とを画面で簡単かつ確実に確認する。【解決手段】情報処理通信端末１のＣＰＵ１１は、看板設置データ生成送信アプリ１６ａ２を実行することにより、カメラ１２が撮影した看板の設置場所の写真データをストレージ部１３に記憶させる写真データ記憶制御手段１１ａと、ストレージ部１３に記憶された写真データをタッチパネル式表示部１５に表示させる写真データ表示制御手段１１ｂと、タッチパネル式表示部１５に表示された写真データ上に看板の画像データである看板画像データを合成して表示する看板画像データ生成合成手段１１ｃと、タッチパネル式表示部１５に表示された写真データと看板画像データとを少なくとも含む看板設置データをデータ通信部１４から送信させる看板設置データ送信制御手段１１ｄとして機能する。【選択図】図１
2018142229.tif 000002
【特許請求の範囲】
【請求項１】
少なくともカメラと、データを送受信するデータ通信部と、表示部とを備えた情報処理通信端末を、
前記カメラが撮影した看板の設置場所の写真データをデータ保存エリアに記憶させる写真データ記憶制御手段と、
前記データ保存エリアに記憶された前記写真データを前記表示部に表示させる写真データ表示制御手段と、
前記表示部に表示された前記写真データ上に看板の画像データである看板画像データを生成して、前記写真データ上に前記看板画像データを合成して表示する看板画像データ生成合成手段と、
前記表示部に表示された前記合成画像データを少なくとも含む看板設置データを前記データ通信部から送信させる看板設置データ送信制御手段として実行させることを特徴とする看板設置データ生成送信プログラム。
【請求項２】
請求項１に記載の看板設置データ生成送信プログラムにおいて、
前記情報処理通信端末の表示部は、タッチパネル式の表示部であり、
前記看板画像データ生成合成手段は、
前記表示部に表示された前記写真データ上で、ユーザが看板の輪郭点をタッチすることにより看板の看板面の画像データを生成して前記写真データに重ね合わせて前記表示部に表示することを特徴とする看板設置データ生成送信プログラム。
【請求項３】
請求項１または請求項２に記載の看板設置データ生成送信プログラムにおいて、
前記看板画像データ生成合成手段は、
看板の画像データを生成する際にさらに看板の看板面の画像データに看板の脚部の画像データを追加して前記表示部に表示された前記写真データに重ね合わせて前記表示部に表示することを特徴とする看板設置データ生成送信プログラム。
【請求項４】
請求項１〜請求項３のいずれか一の請求項に記載の看板設置データ生成送信プログラムにおいて、
前記看板画像データ生成合成手段は、さらに、
前記表示部に表示された前記写真データ上に看板の画像データを生成する際に基準となる所定ピッチで升目状のグリッド線を重ね合わせて表示することを特徴とする看板設置データ生成送信プログラム。
【請求項５】
請求項１〜請求項４のいずれか一の請求項に記載の看板設置データ生成送信プログラムにおいて、
前記看板画像データ生成合成手段は、
前記表示部に表示された前記写真データ上に看板の画像データである看板画像データを生成して、前記写真データ上に前記看板画像データを合成して表示する際、前記データ保存エリアに複数の写真データが保存されている場合には、一の写真データで生成した看板画像データを保存しておき、保存した看板画像データを読み出して縮小または拡大して他の写真データ上に貼り付けることにより、前記写真データ上に前記看板画像データを合成して表示するよう制御することを特徴とする看板設置データ生成送信プログラム。
【請求項６】
請求項１〜請求項５のいずれか一の請求項に記載の看板設置データ生成送信プログラムを実行することを特徴とする情報処理通信端末。
【請求項７】
請求項６に記載の看板設置データ生成送信プログラムを実行する情報処理通信端末から受信した前記看板設置データを受信するデータ受信手段と、
前記データ受信手段によって受信された前記看板設置データを複数表示させると共に、複数表示された前記看板設置データをユーザに選択させる看板設置データ選択画面を生成して自装置またはユーザの情報処理通信端末に表示させ、前記看板設置データに基づく看板設置サービスを提供する看板設置サービス提供手段とを有する情報処理通信サーバ。
【発明の詳細な説明】
【技術分野】
【０００１】
本発明は、少なくともカメラと、データを送受信するデータ通信部と、表示部とを備えた情報処理通信端末を実行させる看板設置データ生成送信プログラム、およびその看板設置データ生成送信プログラムを実行する情報処理通信端末、情報処理通信サーバに関する。
【背景技術】
【０００２】
従来の情報処理通信端末として、例えば、コンピューター上のバーチャルな町並みに、屋外広告の複数の広告媒体を、状況に応じて表示方法を変えて表示すると共に、その広告媒体についてのサイズ、料金、空き期間、および申し込み締め切りまたは入札・落札日時を含む媒体固有情報および申し込み方法等の一般情報を記憶しておき、借り側であるユーザは、会員番号を提示して、借り側の端末に表示された前記バーチャルな町並みをスクロールしながら、希望の広告媒体についての情報をもとに前記一般情報を読み出し、申し込みあるいは入札を行い、貸し側は、所定の手続きを経て、申し込み結果または入札結果を借り側に通知するようにした屋外広告における広告媒体賃貸システムが提案されている（例えば、特許文献１参照。）。
【先行技術文献】
【特許文献】
【０００３】
【特許文献１】特開２００１−３１２６４６号公報
【発明の概要】
【発明が解決しようとする課題】
【０００４】
しかし、上述の特許文献１の情報処理通信端末では、コンピューター上のバーチャルな町並みに屋外広告の複数の広告媒体を、状況に応じて表示方法を変えて表示しているので、借り側であるユーザの立場からすると、あくまでバーチャルな町並みに屋外広告が表示されているに過ぎず、看板設置場所のリアルな町並みの画像を確認できない、という問題があった。
【０００５】
そのため、借り側であるユーザは、コンピューター上に表示されたバーチャルな町並みにおける屋外広告が気に入っても、実際に契約する前には看板設置場所のリアルな町並みを確認する必要があり、看板設置場所のレンタル契約まで手間や時間がかかっていた。
【０００６】
また、最近のスマートホン等の情報処理通信端末は、通信機能以外にカメラ機能も備えているため、簡単に看板の設置場所を撮影して送信することもできるが、看板の大きさや看板の設置状態までは送信できないでいた。
【０００７】
そこで、本発明は、実際の看板設置場所の状態と、その看板設置場所に設置される看板の状態とを画面で簡単かつ確実に確認することができる看板設置データ生成送信プログラム、およびその看板設置データ生成送信プログラムを実行する情報処理通信端末、情報処理通信サーバを提供することを目的とする。
【課題を解決するための手段】
【０００８】
前記課題を解決するため、本発明に係る看板設置データ生成送信プログラムでは、少なくともカメラと、データを送受信するデータ通信部と、表示部とを備えた情報処理通信端末を、前記カメラが撮影した看板の設置場所の写真データをデータ保存エリアに記憶させる写真データ記憶制御手段と、前記データ保存エリアに記憶された前記写真データを前記表示部に表示させる写真データ表示制御手段と、前記表示部に表示された前記写真データ上に看板の画像データである看板画像データを生成して、前記写真データ上に前記看板画像データを合成して表示する看板画像データ生成合成手段と、前記表示部に表示された前記合成画像データを少なくとも含む看板設置データを前記データ通信部から送信させる看板設置データ送信制御手段として実行させることを第１の特徴とする。
また、本発明に係る看板設置データ生成送信プログラムでは、前記情報処理通信端末の表示部は、タッチパネル式の表示部であり、前記看板画像データ生成合成手段は、前記表示部に表示された前記写真データ上で、ユーザが看板の輪郭点をタッチすることにより看板の看板面の画像データを生成して前記写真データに重ね合わせて前記表示部に表示することを第２の特徴とする。
また、本発明に係る看板設置データ生成送信プログラムでは、前記看板画像データ生成合成手段は、看板の画像データを生成する際にさらに看板の看板面の画像データに看板の脚部の画像データを追加して前記表示部に表示された前記写真データに重ね合わせて前記表示部に表示することを第３の特徴とする。
また、本発明に係る看板設置データ生成送信プログラムでは、前記看板画像データ生成合成手段は、さらに、前記表示部に表示された前記写真データ上に看板の画像データを生成する際に基準となる所定ピッチで升目状のグリッド線を重ね合わせて表示することを第４の特徴とする。
また、本発明に係る看板設置データ生成送信プログラムでは、前記看板画像データ生成合成手段は、前記表示部に表示された前記写真データ上に看板の画像データである看板画像データを生成して、前記写真データ上に前記看板画像データを合成して表示する際、前記データ保存エリアに複数の写真データが保存されている場合、一の写真データで生成した看板画像データを保存しておき、保存した看板画像データを読み出して縮小または拡大して他の写真データ上に貼り付けることにより、前記写真データ上に前記看板画像データを合成して表示するよう制御することを第５の特徴とする。
また、本発明に係る情報処理通信端末は、上述のいずれかの看板設置データ生成送信プログラムを実行することを特徴とする。
また、本発明に係る情報処理通信サーバは、上述の看板設置データ生成送信プログラムを実行する情報処理通信端末から受信した前記看板設置データを受信するデータ受信手段と、前記データ受信手段によって受信された前記看板設置データを複数表示させると共に、複数表示された前記看板設置データをユーザに選択させる看板設置データ選択画面を生成して自装置またはユーザの情報処理通信端末に表示させ、前記看板設置データに基づく看板設置サービスを提供する看板設置サービス提供手段とを有することを特徴とする。
【発明の効果】
【０００９】
本発明に係る看板設置データ生成送信プログラム、およびその看板設置データ生成送信プログラムを実行する情報処理通信端末、情報処理通信サーバによれば、情報処理通信端末では、カメラに寄って撮影した写真データと生成した看板の画像データである看板画像データとを少なくとも含む看板設置データが情報処理通信サーバに送信し、情報処理通信サーバではその看板設置データを受信して複数表示させると共に、複数表示された看板設置データをユーザに選択させる看板設置データ選択画面を生成して自装置またはユーザの情報処理通信端末に表示させる。
そのため、情報処理通信サーバやユーザの情報処理通信端末では、実際の看板設置場所の状態と、その看板設置場所に設置される看板の状態とを画面で簡単かつ確実に確認することができる。
【図面の簡単な説明】
【００１０】
【図１】本発明に係る実施形態の情報処理通信端末および情報処理通信サーバの構成や接続を示すブロック図である。
【図２】本発明に係る実施形態の情報処理通信端末が看板設置データ生成送信プログラムを実行することによって処理される看板設置データ生成送信処理を示すフローチャートである。
【図３】（ａ），（ｂ）それぞれ、本発明に係る実施形態の情報処理通信端末のタッチパネル式表示部に表示された初期画面ないしはアプリ選択画面、看板設置データ生成送信アプリのＴＯＰ画面の一例を示す図である。
【図４】図２に示すステップＳ２００の写真撮影処理の詳細な処理手順を示すフローチャートである。
【図５】（ａ）〜（ｃ）それぞれ、実施形態の情報処理通信端末の写真撮影処理でタッチパネル式表示部に表示される写真撮影画面、写真決定画面、保存確認画面の一例を示す図である。
【図６】図２に示すステップＳ３００のシルエット作成処理における前半の板面シルエット作成処理の詳細な処理手順を示すフローチャートである。
【図７】（ａ）〜（ｄ）それぞれ、実施形態の情報処理通信端末の板面シルエット作成処理でタッチパネル式表示部に表示される写真フォルダ選択画面、写真データ選択画面、選択写真決定画面、板面シルエット作成説明画面の一例を示す図である。
【図８】実施形態の情報処理通信端末の板面シルエット作成処理でタッチパネル式表示部に表示されたシルエット作成画面の一例を示す図である。
【図９】実施形態の情報処理通信端末の板面シルエット作成処理でタッチパネル式表示部に表示されたシルエット作成画面の一例を示す図である。
【図１０】実施形態の情報処理通信端末の板面シルエット作成処理でタッチパネル式表示部に表示されたシルエット作成画面の一例を示す図である。
【図１１】（ａ）〜（ｄ）それぞれ、実施形態の情報処理通信端末の板面シルエット作成処理でタッチパネル式表示部に表示されるシルエット作成画面、板面シルエット完成画面の一例を示す図である。
【図１２】図２に示すシルエット作成処理における後半の脚シルエット作成処理の詳細な処理手順を示すフローチャートである。
【図１３】（ａ），（ｂ）それぞれ、実施形態の情報処理通信端末の脚シルエット作成処理でタッチパネル式表示部に表示される脚シルエット作成説明画面、脚シルエット作成初期画面の一例を示す図である。
【図１４】実施形態の情報処理通信端末の脚シルエット作成処理でタッチパネル式表示部に表示される脚シルエット作成画面の一例を示す図である。
【図１５】実施形態の情報処理通信端末の脚シルエット作成処理でタッチパネル式表示部に表示される脚シルエット作成画面の一例を示す図である。
【図１６】（ａ）〜（ｄ）それぞれ、実施形態の情報処理通信端末の脚シルエット作成処理でタッチパネル式表示部に表示される看板シルエット完成画面、看板シルエットコピー完了画面、看板シルエット保存完了画面、看板シルエット完成保存画面の一例を示す図である。
【図１７】（ａ）〜（ｄ）それぞれ、実施形態の情報処理通信端末の脚シルエット作成処理でタッチパネル式表示部に表示される写真選択画面、選択写真決定画面、シルエット作成画面、貼付け確認画面の一例を示す図である。
【図１８】（ａ）〜（ｃ）それぞれ、実施形態の情報処理通信端末の脚シルエット作成処理でタッチパネル式表示部に表示される貼付完了画面の一例を示す図である。
【図１９】（ａ），（ｂ）それぞれ、実施形態の情報処理通信端末の脚シルエット作成処理でタッチパネル式表示部に表示される看板シルエット完成画面、看板シルエット保存完了画面の一例を示す図である。
【図２０】図２に示す位置情報設定・メール送信処理の詳細な処理手順を示すフローチャートである。
【図２１】（ａ）〜（ｃ）それぞれ、実施形態の情報処理通信端末の位置情報設定・メール送信処理でタッチパネル式表示部に表示される位置情報設定説明画面、位置情報設定画面の一例を示す図である。
【図２２】（ａ）〜（ｃ）それぞれ、実施形態の情報処理通信端末の位置情報設定・メール送信処理でタッチパネル式表示部に表示される位置情報設定画面、看板設置データフォルダ選択画面、看板設置データ選択画面の一例を示す図である。
【図２３】（ａ）〜（ｃ）それぞれ、実施形態の情報処理通信端末の位置情報設定・メール送信処理でタッチパネル式表示部に表示される一時ファイル削除確認画面、一時ファイル削除実行画面の一例を示す図である。
【図２４】（ａ）〜（ｃ）それぞれ、実施形態の情報処理通信端末の位置情報設定・メール送信処理でタッチパネル式表示部に表示されるメール作成画面、メール送信完了画面の一例を示す図である。
【発明を実施するための形態】
【００１１】
以下、本発明に係る実施形態の看板設置データ生成送信プログラム、およびその看板設置データ生成送信プログラムを実行する情報処理通信端末１、情報処理通信サーバ２について、図面を参照しながら詳細に説明する。なお、下記に説明する実施形態はあくまで本発明の一例であり、本発明は下記の実施形態に限定されるものではなく、本発明の技術思想の範囲内で適宜変更可能である。
【００１２】
図１は、本発明に係る実施形態の情報処理通信端末１と、および情報処理通信サーバ２の構成や接続を示すブロック図である。
【００１３】
図1に示すように、本発明に係る実施形態の情報処理通信端末１は、インターネット３を介して情報処理通信サーバ２と接続されて構成されている。
【００１４】
（情報処理通信端末１の構成）
情報処理通信端末１は、いわゆるスマーフォンや携帯電話、タブレット、パソコン等の無線または有線の通信機能や撮影機能等を有する情報処理通信端末であり、ＣＰＵ１１と、カメラ１２と、ＲＡＭ等のメモリ１３と、データ通信部１４と、タッチパネル式表示部１５と、ストレージ部１６と、ＧＰＳモジュール１７等を備えている。尚、メモリ１３とストレージ部１６とは同じメモリで構成しても良い。
【００１５】
ＣＰＵ１１は、ストレージ部１６に記憶されたオペレーションプログラム１６ａの実行の下、本装置全体を制御すると共に、各種のアプリケーションプログラム（以下、アプリと略す場合あり。）を実行して各種のアプリの機能を達成するように構成されている。特に、ＣＰＵ１１が本発明に係る看板設置データ生成送信プログラム１６ａ２を実行した場合には、後述するように本発明の写真データ記憶制御手段１１ａ、写真データ表示制御手段１１ｂ、看板画像データ生成合成手段１１ｃ、看板設置データ送信制御手段１１ｄとして機能する。
【００１６】
カメラ１２は、デジタルカメラ等と同様に、ＣＣＤやＣＭＯＳセンサ等の撮像素子を備えており、撮影した写真データ等の画像データをデジタルデータとして出力する。
【００１７】
メモリ１３は、ＲＡＭ等から構成されており、ＣＰＵ１１が処理しているデータを一時保持したり、カメラ１２が撮影した画像データ等を記憶する。
【００１８】
データ通信部１４は、無線ＬＡＮやＬＴＥ通信等の電話回線を使用した高速通信等の無線通信や、光通信、ＡＤＳＬ等の有線通信によってインターネット３を介し他の情報処理通信端末１や情報処理通信サーバ２等との間でデータを送受信するものである。
【００１９】
タッチパネル式表示部１５は、ＣＰＵ１１が処理したデータや、カメラ１２が撮影した画像データ、インターネット３を介して受信したデータ等を表示するもので、ユーザが指でタッチすることにより各種データや指示を入力できるものである。
【００２０】
ストレージ部１６は、ｅＭＣＣやＳＳＤ等のフラッシュメモリ、あるいはハードディスク等から構成されており、プログラム記憶エリア１６ａと、データ記憶エリア１６ｂとを備えている。
【００２１】
プログラム記憶エリア１６ａには、情報処理通信端末１のオペレーションシステム（ＯＳ）プログラム１６ａ１の他、本発明に係る看板設置データ生成送信プログラムである看板設置データ生成送信アプリ１６ａ２や、カメラアプリ１６ａ３、地図アプリ１６ａ４、メールアプリ１６ａ５等の各種アプリケーションプログラムが記憶されている。
【００２２】
データ記憶エリア１６ｂでは、この情報処理通信端末１で作成やインターネット３を介して受信した各種データを記憶したり、カメラ１２が撮影した看板の設置場所の写真データも記憶する。
【００２３】
尚、プログラム記憶エリア１６ａとデータ記憶エリア１６ｂとは１つのストレージ部１６に設けられている必要はなく、別々のストレージ部１６に設けられていても良く、例えばデータ記憶エリア１６ｂはこの情報処理通信端末１から着脱可能なフラッシュメモリ等のストレージ部に設けられていても良いし、インターネット３を介したクラウドサーバ（図示せず。）等に設けられていても勿論良い。
【００２４】
ＧＰＳモジュール１７は、ＧＰＳ衛星からの電波に基づいて情報処理通信サーバ２の現在位置を示すＧＰＳ位置データを生成する。
【００２５】
（情報処理通信サーバ２の構成）
情報処理通信サーバ２は、いわゆるパソコン等の無線または有線の通信機能を有するコンピュータ装置であり、ＣＰＵ２１と、ＲＡＭ等のメモリ２２と、ハードディスク等のストレージ部２３と、キーボードやマウス等の入力部２４と、液晶ディスプレイ等の表示部２５と、インターネット３等を介して他の装置である情報処理通信端末１と通信するデータ通信部２６等を備えている。
【００２６】
ストレージ部２３には、プログラム記憶エリア２３ａと、データ記憶エリア２３ｂとが設けられており、プログラム記憶エリア２３ａには、情報処理通信サーバ２のオペレーションシステム（ＯＳ）プログラム２３ａ１と、情報処理通信端末１が本発明に係る看板設置データ生成送信プログラム１６ａ２を実行して送信してきた看板設置データを受信して、情報処理通信サーバ２のＣＰＵ２１が表示部２５にその看板設置データを表示して、ユーザ等に対して看板設置データを閲覧させたり、看板のレンタル等のサービスを提供するための看板設置サービス提供手段２１ａとして機能するためのアプリケーションプログラムである看板設置サービ提供スプログラム２３ａ２が格納されている。
【００２７】
＜実施形態の情報処理通信端末１および情報処理通信サーバ２の動作＞
次に、以上のように構成された情報処理通信端末１および情報処理通信サーバ２の動作について、図面を参照して説明する。
【００２８】
（情報処理通信端末１側の動作＞
図２は、実施形態の情報処理通信端末１が看板設置データ生成送信アプリ１６ａ２を実行することによって処理される看板設置データ生成送信処理を示すフローチャートである。
【００２９】
図２に示すように、ユーザが情報処理通信端末１の電源を入れて、タッチパネル式表示部１５に表示された図３（ａ）に示すような初期画面ないしはアプリ選択画面４９０において看板設置データ生成送信アプリ１６ａ２のアイコン４９１をタップ等して実行すると（ステップＳ１００“ＹＥＳ”）、ＣＰＵ１１がストレージ部１６に格納された看板設置データ生成送信アプリ１６ａ２を実行して、まずは図３（ｂ）に示すような看板設置データ生成送信アプリ１６ａ２のＴＯＰ画面５００をタッチパネル式表示部１５に表示する（ステップＳ１１０）。
【００３０】
図３（ｂ）に示すＴＯＰ画面５００には、例えば、写真撮影処理に移行するための写真撮影ボタン５０１や、シルエット作成処理に移行するためのシルエット作成ボタン５０２、位置情報設定・メール送信処理に移行するための位置情報設定・メール送信ボタン５０３の他、ユーザが困ったときにヘルプ内容を表示するためのヘルプボタン５０４等が表示されている。
【００３１】
そして、ユーザが図３（ｂ）に示すＴＯＰ画面５００において写真撮影ボタン５０１をタップ等して選択すると（ステップＳ１１０“ＹＥＳ”）、ＣＰＵ１１は、看板設置データ生成送信アプリ１６ａ２の実行により後述する図４に詳細に処理手順を示す写真撮影処理を実行する一方（ステップＳ２００）、シルエット作成ボタン５０２をタップ等して選択すると（ステップＳ１２０“ＹＥＳ”）、後述する図６および図１２に詳細に処理手順を示すシルエット作成処理を実行し（ステップＳ３００）、位置情報設定・メール送信ボタン５０３がタップ等して選択すると（ステップＳ１３０“ＹＥＳ”）、後述する図１７に詳細に処理手順を示す位置情報設定・メール送信を実行する（ステップＳ４００）。
【００３２】
尚、ユーザが図３（ｂ）に示すＴＯＰ画面５００においてヘルプボタン５０４を選択すると（ステップＳ１４０“ＹＥＳ”）、予め作成された看板設置データ生成送信アプリ１６ａ２のヘルプ内容がタッチパネル式表示部１５に表示される（ステップＳ１５０）。
【００３３】
（１）写真撮影処理
次に、図２に示すステップＳ２００の写真撮影処理について詳細に説明する。
【００３４】
図４は、図２に示すステップＳ２００の写真撮影処理の詳細な処理手順を示すフローチャートである。
【００３５】
ユーザが図３（ｂ）に示すＴＯＰ画面５００において写真撮影ボタン５０１をタップ等して選択すると（ステップＳ１１０“ＹＥＳ”）、ＣＰＵ１１は、まずカメラアプリ１６ａ３を起動して（ステップＳ２０１）、図５（ａ）に示すようにカメラ１２で撮影している写真データ５１１と、カメラ１２のシャッターボタンである写真撮影ボタン５１２や、前画面であるＴＯＰ画面５００に戻るためのＢＡＣＫボタン５１３等が表示された写真撮影画面５１０をタッチパネル式表示部１５に表示する（ステップＳ２０２）。
【００３６】
そして、この写真撮影画面５１０においてユーザが写真撮影ボタン５１２をタップ等して選択すると（ステップＳ２０３“ＹＥＳ”）、ＣＰＵ１１は、図５（ｂ）に示すように撮影された写真データ５１１と、撮影された写真データ５１１を保存するためのＯＫボタン５１４、前画面に戻るためのＢＡＣＫボタン５１３等が表示された写真決定画面５２０をタッチパネル式表示部１５に表示する（ステップＳ２０４）。
【００３７】
そして、この写真決定画面５２０においてユーザがＯＫボタン５１４を選択すると（ステップＳ２０５“ＹＥＳ”）、ＣＰＵ１１は、ＯＫボタン５１４が押下された際にタッチパネル式表示部１５に表示されていた写真データ５１１をストレージ部１６のデータ記憶エリア１６ｂ等へ保存し（ステップＳ２０６）、さらに図５（ｂ）に示すようにＯＫボタン５１４上に選択されたことを示すレ点マークを表示し、図５（ｃ）に示すような決定した写真データ５１１の保存を確認する保存確認画面５３０をタッチパネル式表示部１５に表示する（ステップＳ２０７）。
【００３８】
保存確認画面５３０には、図５（ｃ）に示すように保存が決定した写真データ５１１の他に、「確認  画像を保存しました。」等のメッセージと共に、写真撮影処理を修了させるためのＯＫボタン５３１も表示される。
【００３９】
そして、図５（ｃ）に示す保存確認画面５３０においてＯＫボタン５３１が選択されると（ステップＳ２０８“ＹＥＳ”）、ＣＰＵ１１は、次の写真を撮影するためステップＳ２０２の写真撮影画面５１０の表示処理に戻る。
【００４０】
尚、看板設置箇所を撮影した写真データ５１１は、同一の看板設置箇所について１つでも良いが、なるべく同一の看板の設置場所について距離を離して、“看板設置箇所から約２０ｍくらい離れた近目、約５０ｍくらい離れた中目、約１００ｍくらい離れた遠目等の画像データ５１１のように、同一設置場所について複数の写真データ５１１を撮影させるようにこの保存確認画面５３０にメッセージを表示したり、ステップＳ２０２の写真撮影画面５１０の表示処理に戻る前に、同一設置場所について距離を変えて複数の写真データ５１１を撮影したか否かを確認させる画面を表示させるようにしたり、同一設置場所について距離を変えて複数の写真データ５１１を撮影しないとステップＳ２０２の写真撮影画面５１０の表示処理に戻れないようにプログラミングしても良い。
【００４１】
このように同一の看板設置場所について距離を変えて複数の写真データ５１１を撮影させると、看板の設置場所について近目や中目、遠目の状況が解ると共に、複数の写真データ５１１は時間的に異なるタイミングで撮影することになるので、複数の写真データ５１１によって同一の看板設置場所において異なるタイミング（時間）での歩行者や自動車等の交通状態も認識できることになり、１枚の写真データ５１１の場合よりも看板設置場所の風景や交通状態をより正しく把握することができるというメリットがある。
【００４２】
尚、図５（ａ）に示す写真撮影画面５１０において写真撮影ボタン５１２が選択されず（ステップＳ２０３“ＮＯ”）、ＢＡＣＫボタン５１３が選択された場合（ステップＳ２０９“ＹＥＳ”）、ＣＰＵ１１は、カメラアプリ１６ａ３を修了して（ステップＳ２１０）、図２に示すステップＳ１００のＴＯＰ画面５００の表示処理へ戻る。
【００４３】
（２）シルエット作成処理
次に、図２に示すステップＳ３００のシルエット作成処理について詳細に説明する。
【００４４】
（２−１）板面シルエット作成処理
図６は、図２に示すステップＳ３００のシルエット作成処理における前半の板面シルエット作成処理の詳細な処理手順を示すフローチャートである。
【００４５】
図２に示すように、図３（ｂ）に示すＴＯＰ画面５００においてユーザがシルエット作成ボタン５０２をタップ等して選択すると（ステップＳ１２０“ＹＥＳ”）、ＣＰＵ１１は、看板設置データ生成送信アプリ１６ａ２の実行によってステップＳ３００のシルエット作成処理に移行し、まずは図７（ａ）に示すような写真データ５１１を保存したストレージ部１６のフォルダの保存内容を示す写真フォルダ選択画面５４０を表示する（ステップＳ３０１）。
【００４６】
写真フォルダ選択画面５４０には、図７（ａ）に示すように各写真フォルダに保存された写真データ５１１のサムネイル画像等のアイコン５４１が表示されている。
【００４７】
写真フォルダは、ステップＳ２００の写真撮影処理によって写真データ５１１がストレージ部１６のデータ記憶エリア１６ｂに保存された際に自動的に作成されるもので、例えば、ステップＳ２００の写真撮影処理毎に作成される。そのため、１度のステップＳ２００の写真撮影処理によって同一の看板設置箇所を近目、中目、遠目等で複数回撮影した場合、近目、中目、遠目の写真データ５１１は、同じ写真フォルダに保存される。尚、図７（ａ）に示す写真フォルダ選択画面５４０には、写真フォルダのアイコン５４１が一つしか表示されていないが、複数の看板設置箇所を撮影して、その度にステップＳ２００の写真撮影処理を実行した場合には、写真フォルダが看板設置箇所毎に作成されて、看板設置箇所毎の写真フォルダのアイコン５４１が複数表示されることになる。
【００４８】
図７（ａ）に示す写真フォルダ選択画面５４０において写真データ５１１のアイコン５４１が選択されると（ステップＳ３０２“ＹＥＳ”）、ＣＰＵ１１は、アイコン５４１が選択された写真フォルダに保存された１または複数の写真データ５１１が表示された図７（ｂ）に示すような写真データ選択画面５５０をタッチパネル式表示部１５に表示する（ステップＳ３０３）。
【００４９】
そして、この写真データ選択画面５５０においてユーザが写真フォルダに保存された１または複数の写真データ５１１の内から一の写真データ５１１をタップ等して選択すると（ステップＳ３０４“ＹＥＳ”）、ＣＰＵ１１は、図７（ｃ）に示すような選択写真決定画面５６０をタッチパネル式表示部１５に表示する（ステップＳ３０５）。
【００５０】
選択写真決定画面５６０には、ユーザによって選択された写真データ５１１と共に、この写真データ５１１について看板シルエットを作成することを決定するＯＫボタン５６１や、この前の画面である写真データ選択画面５５０に戻るためのＢＡＣＫボタン５６２等が表示されている。
【００５１】
この選択写真決定画面５６０においてユーザがＯＫボタン５６１を選択すると（ステップＳ３０６“ＹＥＳ”），ＣＰＵ１１は、図７（ｄ）に示すような板面シルエット作成説明画面５７０をタッチパネル式表示部１５に表示する（ステップＳ３０７）。
【００５２】
図７（ｄ）に示す板面シルエット作成説明画面５７０には、例えば、“看板を設置するエリアの四隅をタップ”等のメッセージと共に、エリアのタップの方法等が表示されていると共に、この板面シルエット作成説明画面５７０を閉じるためのクローズボタン５７１が表示されている。また、画面否表示ボタン５７２を選択することにより板面シルエット作成説明画面５７０を今後表示しないようにすることもできる。
【００５３】
板面シルエット作成説明画面５７０においてユーザがクローズボタン５７１をタップ（選択）すると（ステップＳ３０８“ＹＥＳ”）、次いでＣＰＵ１１は、図８に示すようなシルエット作成画面５８０をタッチパネル式表示部１５に表示する（ステップＳ３０９）。
【００５４】
シルエット作成画面５８０では、図８に示すように、写真データ５１１が表示されていると共に、写真データ５１１の上に看板の画像データを作成し易いように、看板の画像データを生成する際に基準となる所定ピッチの升目状、すなわち方眼紙状の縦横のグリッド線５８１を重ね合わせて表示する。
【００５５】
そのため、ユーザが写真データ５１１の上に看板の画像データを作成する際に、所定ピッチのグリッド線５８１を参考にして看板の画像データが斜めに傾く等せず、簡単かつ確実に看板画像データを作成することができる。
【００５６】
尚、このシルエット作成画面５８０では、図８に示すようにユーザが一度作成して保存した板面シルエット画像５８５と脚シルエット画像６２１を読み出して、シルエット作成画面５８０に現在表示されている写真データ５１１上に重ねて表示するためのＰａｓｔｅボタン５８２も表示されており、一度作成して保存した板面シルエット画像５８５と脚シルエット画像６２１を読み出して写真データ５１１上にコピーする場合には、Ｐａｓｔｅボタン５８２をタップして選択する。尚、Ｐａｓｔｅボタン５８２が選択された場合の板面シルエット画像５８５と脚シルエット画像６２１の貼付け処理については後述する。
【００５７】
そして、ユーザが図８に示すシルエット作成画面５８０において、Ｐａｓｔｅボタン５８２を選択せずに（ステップＳ３１０“ＮＯ”）、写真データ５１１上をタップすると（ステップＳ３１１“ＹＥＳ”）、ＣＰＵ１１は、図９や図１０に示すように写真データ５１１上にそのタップされたタップ点５７３を赤色の丸印等の点（以下、赤丸点という。）で表示すると共に、２点以上タップされたタップ点５７３を赤色の輪郭線５７４で接続して写真データ５１１の上に表示する（ステップＳ３１２）。
【００５８】
図９に示すシルエット作成画面５８０では、図８に示すシルエット作成画面５８０よりも拡大された写真データ５１１上で２点タップされた状態を示しており、拡大された写真データ５１１上に看板の四隅の輪郭点となるタップ点５７３が２個表示されていると共に、２個のタップ点５７３を結ぶ輪郭線５７４が写真データ５１１上に表示されている。
【００５９】
一方、図１０に示すシルエット作成画面５８０では、図９と同様に図８に示すシルエット作成画面５８０よりも拡大された写真データ５１１上で３点タップされた状態を示しており、拡大された写真データ５１１上に看板の四隅の輪郭点となるタップ点５７３が３個表示されていると共に、３個のタップ点５７３を結ぶ輪郭線５７４が２本写真データ５１１上に表示されている。尚、ＣＰＵ１１は、タップされたタップ点５７３を順番に輪郭線５７４が結ばれている。
【００６０】
そして、シルエット作成画面５８０の写真データ５１１上において、４点タップされてタップ点５７３が４点表示されると（ステップＳ３１３“ＹＥＳ”）、ＣＰＵ１１は、例えば、図１１（ａ）に示すように４つのタップ点５７３が全て輪郭線５７４で連結され、かつ、４つのタップ点５７３および４本の輪郭線５７４で囲まれた内側が例えば黄色等で塗り潰された看板の板面シルエット画像５８５を写真データ５１１上に表示する（ステップＳ３１４）。
【００６１】
尚、４つのタップ点５７３および４本の輪郭線５７４で囲まれた内側が例えば黄色等で塗り潰された看板の板面シルエット画像５８５が曲がっている場合、ユーザは、ＯＫボタン５８６を選択せずに（ステップＳ３１５“ＮＯ”）、ＢＡＣＫボタン５８７を押下して前画面に戻ったり、あるいはタップ点を指で移動させる等すると、ＣＰＵ１１はタップ点を修正する（ステップＳ３１６）。
【００６２】
そして、シルエット作成画面５８０において図１１（ａ）に示すような板面のシルエット画像５７４が写真データ５１１の上に表示され、ユーザによってＯＫボタン５８６が選択されると（ステップＳ３１５“ＹＥＳ”）、ＣＰＵ１１は、図１１（ｂ）に示すように写真データ５１１上に板面シルエット画像５８５を合成した看板設置データ１０００が表示された板面シルエット完成画面５９０をタッチパネル式表示部１５に表示する（ステップＳ３１７）。
【００６３】
また、この板面シルエット完成画面５９０には、図１１（ｂ）に示すように同じ看板設置データ１０００にさらに板面シルエット画像５８５を追加するための看板追加ボタン５９１等も表示されている。
【００６４】
そのため、同じ看板設置データ１０００にさらに板面シルエット画像５８５を追加する場合、ユーザは、板面シルエット完成画面５９０の看板追加ボタン５９１を選択する一方、同じ看板設置データ１０００に板面シルエット画像５８５を追加しない場合は、看板追加ボタン５９１を選択しない。
【００６５】
この板面シルエット完成画面５９０において看板追加ボタン５９１が選択されると（ステップＳ３１８“ＹＥＳ”）、ＣＰＵ１１は、ステップＳ３０９の処理に戻り、図１１（ｃ）に示すように写真データ５１１上に板面シルエット画像５８５を合成した看板設置データ１０００が表示された板面シルエット完成画面５９０の上に、図８のシルエット作成画面５８０でも表示した所定ピッチのグリッド線５８１を重ねてタッチパネル式表示部１５に表示する。
【００６６】
そして、ＣＰＵ１１は、上述したステップＳ３０７〜Ｓ３１７の処理を繰り返し行って、板面シルエット完成画面５９０に対し写真データ５１１上に板面シルエット画像５８５を追加して合成した看板設置データ１０００を生成することができる。
【００６７】
図１１（ｄ）は、写真データ５１１上に板面シルエット画像５８５を１つ追加して２つ合成した看板設置データ１０００を表示した板面シルエット完成画面５９０を示している。
【００６８】
このように、ユーザは、板面シルエット完成画面５９０において看板追加ボタン５９１を選択することにより（ステップＳ３１８“ＹＥＳ”）、写真データ５１１上に１または複数の板面シルエット画像５８５を追加して合成することができる。
【００６９】
そして、写真データ５１１上に１または複数の板面シルエット画像５８５が合成された看板設置データ１０００を表示した板面シルエット完成画面５９０においてＯＫボタン５９２が選択されると（ステップＳ３１９“ＹＥＳ”）、ＣＰＵ１１は、図６に示す板面シルエット作成処理を修了して、図１２に示す看板の脚シルエット作成処理に移行する。
【００７０】
（２−２）脚シルエット作成処理
図１２は、図２に示すステップＳ３００のシルエット作成処理における後半の脚シルエット作成処理の詳細な処理手順を示すフローチャートである。
【００７１】
図６のステップＳ３１９の処理においてＯＫボタン５９２が選択され（ステップＳ３１９“ＹＥＳ”）、図１２に示す看板の脚シルエット作成処理に移行すると、ＣＰＵ１１は、まず、図１３（ａ）に示すような脚シルエット作成説明画面６００をタッチパネル式表示部１５に表示する（ステップＳ３３０）。
【００７２】
脚シルエット作成説明画面６００には、図１３（ａ）に示すように“大きさを選んでタップ＆ドラッグで長さを調節”等のメッセージと共に、この脚シルエット作成説明画面６００を修了するためのクローズボタン６０１や、脚シルエット作成説明画面６００を今後表示しないようにする画面否表示ボタン６０２も表示される。
【００７３】
そして、クローズボタン６０１が選択されると（ステップＳ３３１“ＹＥＳ”）、ＣＰＵ１１は、図１３（ｂ）に示すように、図６に示す板面シルエット作成処理によって生成された板面シルエット完成画面５９０上に、さらに看板の脚の太さを示す“細”、“中”、“太”の脚太さ設定ボタン６１１〜６１３と、所定ピッチの升目状のグリッド線６１４が重ねて表示された脚シルエット作成初期画面６１０をタッチパネル式表示部１５に表示する（ステップＳ３３２）。
【００７４】
そしてユーザが図１３（ｂ）に示すような脚シルエット作成初期画面６１０において、“細”、“中”、“太”の脚太さ設定ボタン６１１〜６１３のいずれかを選択して（ステップＳ３３３“ＹＥＳ”）、写真データ５１１上に１または複数の板面シルエット画像５８５の端部をタップしてドラッグすると（ステップＳ３３４“ＹＥＳ”）、ＣＰＵ１１は、図１４に示すように脚太さ設定ボタン６１１〜６１３で選択した“細”、“中”、“太”のいずれかの太さで板面シルエット画像５８５から脚シルエット画像６２１を描画した脚シルエット作成画面６２０をタッチパネル式表示部１５に表示する（ステップＳ３３５）。
【００７５】
尚、図１４に示す脚シルエット作成画面６２０では、写真データ５１１上に２つの板面シルエット画像５８５が合成されており、“太”の太さ設定ボタン６１３が選択されて、左側の板面シルエット画像５８５から１本の太い脚シルエット画像６２１を描画した状態を示している。
【００７６】
そして、ステップＳ３３４の板面シルエット画像５８５の端部をタップしてドラッグする処理が繰り返されると、図１５に示す脚シルエット作成画面６２０のように、写真データ５１１上に表示された２個の板面シルエット画像５８５それぞれに対し２回ずつタップおよびドラッグして、“太”および“細”２本ずつの合計４本の脚シルエット画像６２１を描画することができる。
【００７７】
脚シルエット作成画面６２０においてＯＫボタン６２２が選択されると（ステップＳ３３６“ＹＥＳ”）、ＣＰＵ１１は、図１６（ａ）に示すような写真データ５１１上に板面シルエット画像５８５と脚シルエット画像６２１とが合成された看板設置データ１０００が表示された看板シルエット完成画面６３０をタッチパネル式表示部１５に表示する（ステップＳ３３７）。
【００７８】
図１６（ａ）に示す看板シルエット完成画面６３０には、看板シルエット完成画面６３０を保存するためのＳＡＶＥボタン６４１、さらに前画面である図１５に示す脚シルエット作成画面６２０に戻るためのＢＡＣＫボタン６４２や、看板シルエット完成画面６３０における板面シルエット画像５８５と脚シルエット画像６２１とをコピーするためのＣＯＰＹボタン６３３が表示されている。
【００７９】
そのため、ユーザによってＣＯＰＹボタン６３３が選択された場合には（ステップＳ３３８“ＹＥＳ”）、ＣＰＵ１１は、図１６（ａ）に示すような看板シルエット完成画面６３０において写真データ５１１上に表示された板面シルエット画像５８５と脚シルエット画像６２１とをメモリ１３やストレージ部１６等に一時保存し（ステップＳ３３９“ＹＥＳ”）、図１６（ｂ）に示すような看板シルエットコピー完了画面６４０をタッチパネル式表示部１５に表示する（ステップＳ３５０）。
【００８０】
一方、ユーザによってＳＡＶＥボタン６４１が選択された場合には（ステップＳ３４０“ＹＥＳ”）、ＣＰＵ１１は、図１６（ａ）に示すような看板シルエット完成画面６３０において写真データ５１１上に板面シルエット画像５８５と脚シルエット画像６２１とが合成された看板設置データ１０００をメモリ１３またはストレージ部１６に保存して、図１６（ｃ）に示すような看板シルエット保存完了画面６５０をタッチパネル式表示部１５に表示する（ステップＳ３４１）。
【００８１】
看板シルエット保存完了画面６５０には、図１６（ｃ）に示すように「確認  画像を保存しました。」というメッセージと共に、ＯＫボタン６５１が表示される。
【００８２】
そしてユーザが図１６（ｃ）に示す看板シルエット保存完了画面６５０においてＯＫボタン６５１を選択すると（ステップＳ３４２“ＹＥＳ”）、ＣＰＵ１１は、図１６（ｄ）に示すような写真データ５１１上に板面シルエット画像５８５と脚シルエット画像６２１とを合成した看板設置データ１０００が表示された看板シルエット完成保存画面６６０をタッチパネル式表示部１５に表示する（ステップＳ３４３）。
【００８３】
図１６（ｄ）に示す看板シルエット完成保存画面６６０では、図１６（ａ）に示す看板シルエット完成画面６３０とは異なり、ＳＡＶＥボタン６４１の代わりに、次の看板設置データ１０００を生成するためＮＥＸＴボタン６６１が表示されている。尚、それ以外は、図１６（ａ）に示す看板シルエット完成画面６３０と同様に、図１６（ｄ）に示す看板シルエット完成保存画面６６０にも、前画面に戻るためのＢＡＣＫボタン６４２や、板面シルエット画像５８５と脚シルエット画像６２１とをコピーするためのＣＯＰＹボタン６３３が表示されている。
【００８４】
そしてユーザが図１６（ｄ）に示す看板シルエット完成保存画面６６０においてＮＥＸＴボタン６６１を選択すると（ステップＳ３４４“ＹＥＳ”）、ＣＰＵ１１は、図６に示すステップＳ３０１の処理に戻って、ユーザがフォルダに保存した別の写真データ５１を選択できるように図７（ａ）と同じ写真フォルダ選択画面５４０を表示して、別の写真データ５１についても図６に示すステップＳ３０１以降の処理を実行する。
【００８５】
具体的には、ユーザが図７（ａ）と同じ写真フォルダ選択画面５４０において写真データ５１１のサムネイル画像等のアイコン５４１を選択すると（ステップＳ３０２“ＹＥＳ”）、ＣＰＵ１１は、図１７（ａ）に示すように、ユーザがフォルダに保存した別の写真データ５１の一覧を選択するための図７（ｂ）と同じ写真データ選択画面５５０をタッチパネル式表示部１５に表示する（ステップＳ３０３）。
【００８６】
図１７（ａ）に示す写真データ選択画面５５０においても、図７（ｂ）に示す写真データ選択画面５５０と同様に、ユーザが写真フォルダに保存された１または複数の写真データ５１１が保存されているため、既に写真データ５１１上に板面シルエット画像５８５と脚シルエット画像６２１とを合成した看板設置データ１０００を完成させた写真データ５１１とは別の写真データ５１１を選択する。
【００８７】
そして、ユーザが既に写真データ５１１上に板面シルエット画像５８５と脚シルエット画像６２１とを合成した看板設置データ１０００を完成させた写真データ５１１とは別の写真データ５１１を選択すると（ステップＳ３０４“ＹＥＳ”）、ＣＰＵ１１は、図１７（ｂ）に示すように別の写真データ５１１が表示された選択写真決定画面５６０をタッチパネル式表示部１５に表示する（ステップＳ３０５）。
【００８８】
そして、この選択写真決定画面５６０においてユーザがＯＫボタン５６１を選択し（ステップＳ３０６“ＹＥＳ”）、図７（ｄ）に示すような板面シルエット作成説明画面５７０がタッチパネル式表示部１５に表示され（ステップＳ３０７）、板面シルエット作成説明画面５７０においてクローズボタン５７１がタップ（選択）されると（ステップＳ３０８“ＹＥＳ”）、ＣＰＵ１１は、図１７（ｃ）に示すような図８と同じシルエット作成画面５８０をタッチパネル式表示部１５に表示する（ステップＳ３０９）。
【００８９】
（他の写真データへの板面シルエット画像５８５と脚シルエット画像６２１の貼付け）
図１７（ｃ）に示すシルエット作成画面５８０では、図８に示すシルエット作成画面５８０とは別の写真データ５１１が表示されているものの、図８に示すシルエット作成画面５８０と同様に、所定ピッチの縦横のグリッド線５８１と、Ｐａｓｔｅボタン５８２が表示されている。
【００９０】
ここで、同じフォルダに保存されている画像データ５１１は、上述したように同一の看板設置箇所について撮影距離を変えた近目、中目、遠目等の画像データ５１１であるため、基本的に板面シルエット画像５８５と脚シルエット画像６２１の構成や形態は同じはずである。
【００９１】
そのため、図１７（ｃ）に示すシルエット作成画面５８０においてＰａｓｔｅボタン５８２がタップして選択されると（ステップＳ３１０“ＹＥＳ”）、ＣＰＵ１１は、例えば、板面シルエット画像５８５と脚シルエット画像６２１の貼付けをユーザに確認させるため、図１７（ｄ）に示すような貼付け確認画面６７０をタッチパネル式表示部１５に表示する（ステップＳ３２０）。
【００９２】
貼付け確認画面６７０には、図１７（ｄ）に示すように写真データ５１１の上に「確認  コピーを貼り付けます  よろしいでしょうか？」というメッセージ共に、ＯＫボタン６７１と、キャンセルボタン６７２とが表示されている。
【００９３】
そしてユーザが図１７（ｄ）に示す貼付け確認画面６７０においてＯＫボタン６７１を選択すると（ステップ３２１“ＹＥＳ”）、ＣＰＵ１１は、図１８（ａ）に示すような写真データ５１の上にＣＯＰＹしておいた板面シルエット画像５８５と脚シルエット画像６２１とが貼り付けられて合成された貼付完了画面６８０をタッチパネル式表示部１５に表示する（ステップＳ３２２）。
【００９４】
ここで、ＣＰＵ１１は、貼付完了画面６８０には、図１８（ａ）に示すように写真データ５１の上にＣＯＰＹしておいた板面シルエット画像５８５と脚シルエット画像６２１とが重ねて（合成されて）表示するだけでなく、さらに板面シルエット画像５８５と脚シルエット画像６２１とを同じ縮尺率で拡大および縮小させると共に、板面シルエット画像５８５と脚シルエット画像６２１とを同時に移動させることができるように、板面シルエット画像５８５と脚シルエット画像６２１の周囲に拡大・縮小ピンチコラム線６８１を表示する。
【００９５】
そのため、本実施形態の情報処理通信端末１１では、ユーザが新しい写真データ５１に以前作成して保存しておいた板面シルエット画像５８５と脚シルエット画像６２１を貼り付けて合成する際に、板面シルエット画像５８５と脚シルエット画像６２１の周りを囲っている拡大・縮小ピンチコラム線６８１を２本の指でピンチアウトしたり（拡げたり）、ピンチインする（狭める）と、ＣＰＵ１１は、拡大・縮小ピンチコラム線６８１の拡大・縮小に応じて、新しい写真データ５１に合成して表示されている板面シルエット画像５８５と脚シルエット画像６２１とを同じ縮尺率で拡大または縮小する。
【００９６】
また、ユーザが新しい写真データ５１上に表示されている拡大・縮小ピンチコラム線６８１を指でドラッグすると、ＣＰＵ１１は、拡大・縮小ピンチコラム線６８１の内側に表示されている板面シルエット画像５８５と脚シルエット画像６２１とを新しい写真データ５１の上で同時に移動させる。尚、拡大・縮小ピンチコラム線６８１を使用した板面シルエット画像５８５と脚シルエット画像６２１の拡大・縮小処理と移動処理とは、いずれを先に行っても良いし、同時に行っても良い。
【００９７】
例えば、図１８（ａ）に示すように写真データ５１１の道路上に板面シルエット画像５８５と脚シルエット画像６２１とが大きく貼り付けられた貼付完了画面６８０において、板面シルエット画像５８５と脚シルエット画像６２１の周囲の拡大・縮小ピンチコラム線６８１を２本の指を使用してピンチインすると、図１８（ｂ）に示すようにその拡大・縮小ピンチコラム線６８１の大きさに従って板面シルエット画像５８５と脚シルエット画像６２１を写真データ５１に縮小することができる。特に、同じ看板設置箇所において、近目の写真データ５１１上で作成した板面シルエット画像５８５と脚シルエット画像６２１を保存して、中目および遠目の写真データ５１１上に貼り付ける場合には、板面シルエット画像５８５と脚シルエット画像６２１を縮小することになるので、非常に便利である。
【００９８】
また、図１８（ａ）に示すように写真データ５１１の道路上に板面シルエット画像５８５と脚シルエット画像６２１とが大きく貼り付けられた貼付完了画面６８０において、板面シルエット画像５８５と脚シルエット画像６２１の周囲の拡大・縮小ピンチコラム線６８１を１本の指を使用してドラッグすることにより、ＣＰＵ１１は、図１８（ｂ）に示すようにその拡大・縮小ピンチコラム線６８１で囲まれた板面シルエット画像５８５と脚シルエット画像６２１を写真データ５１上で意図する看板設置場所まで移動させてことができる。
【００９９】
そして、図１８（ｃ）に示す貼付完了画面６８０に示すように板面シルエット画像５８５と脚シルエット画像６２１を写真データ５１上に貼り付けた後、拡大・縮小ピンチコラム線６８１によって板面シルエット画像５８５と脚シルエット画像６２１を最適な大きさに拡大・縮小し、かつ、看板設置場所まで移動させた後、ユーザがＯＫボタン６８２にタップすると（ステップＳ３３６“ＹＥＳ”）、図１９（ａ）に示すような看板シルエット完成画面６３０がタッチパネル式表示部１５に表示される（ステップＳ３３７）。尚、図１９（ａ）に示す看板シルエット完成画面６３０は、Ｐａｓｔｅボタン５８２によって板面シルエット画像５８５と脚シルエット画像６２１を写真データ５１１上に貼付けて生成したものであるが、それ以外は、板面シルエット画像５８５と脚シルエット画像６２１を写真データ５１１上に描画して生成した図１６（ａ）に示す看板シルエット完成画面６３０と同じ構成である。
【０１００】
そして、図１９（ａ）に示すような看板シルエット完成画面６３０においてＳＡＶＥボタン６４１が選択された場合（ステップＳ３４０“ＹＥＳ”）、ＣＰＵ１１は、図１９（ａ）に示す看板シルエット完成画面６３０に表示された写真データ５１１上に板面シルエット画像５８５と脚シルエット画像６２１とが合成された看板設置データ１０００をメモリ１３またはストレージ部１６に保存し、図１９（ｂ）に示すような看板シルエット保存完了画面６５０をタッチパネル式表示部１５に表示する（ステップＳ３４１）。
【０１０１】
尚、３枚目の例えば遠目の写真データ５１１についても、２枚目の例えば中目の写真データ５１１と同様にして、Ｐａｓｔｅボタン５８２によって板面シルエット画像５８５と脚シルエット画像６２１を写真データ５１１上に貼付けて、図１９（ａ）に示す看板シルエット完成画面６３０に表示された写真データ５１１上に板面シルエット画像５８５と脚シルエット画像６２１とが合成された看板設置データ１０００がメモリ１３またはストレージ部１６に保存することができる。
【０１０２】
（３）位置情報設定・メール送信処理
次に、図２に示すステップＳ４００の位置情報設定・メール送信処理について詳細に説明する。
【０１０３】
図２に示すように、図３（ｂ）に示すＴＯＰ画面５００においてユーザが位置情報設定・メール送信処理ボタン５０３をタップ等して選択すると（ステップＳ１３０“ＹＥＳ”）、ＣＰＵ１１は、図１６に詳細に示す位置情報設定・メール送信処理４００を実行する。
【０１０４】
図２０は、図２に示す位置情報設定・メール送信処理４００の詳細な処理手順を示すフローチャートである。
【０１０５】
具体的には、図２０に示すように、ＣＰＵ１１は、まず図２１（ａ）に示すような位置情報設定説明画面７００をタッチパネル式表示部１５に表示する（ステップＳ４０１）。
【０１０６】
位置情報設定説明画面７００には、図２１（ａ）に示すように“設置場所をタップで調整”等のメッセージと共に、マップ上でユーザによるタップを促す絵柄、さらには位置情報設定説明画面７００を閉じるためのＣｌｏｓｅボタン７０１や、位置情報設定説明画面７００を今後表示しないようにする画面否表示ボタン７０２も表示されている。
【０１０７】
そのため、ユーザが位置情報設定説明画面７００においてＣｌｏｓｅボタン７０１を選択すると（ステップＳ４０２“ＹＥＳ”）、ＣＰＵ１１は、図２１（ａ）に示す位置情報設定説明画面７００を閉じて、地図アプリ１６ａ４を起動し、図２１（ｂ）に示すような位置情報設定画面７１０をタッチパネル式表示部１５に表示する（ステップＳ４０３）。
【０１０８】
位置情報設定画面７１０には、図２１（ｂ）に示すようにＧＰＳ衛星からの電波に基づいてＧＰＳモジュール１７が生成した情報処理通信サーバ２の位置情報に基づく地図データ７１１が表示されていると共に、ＧＰＳ位置データが表示されたＧＰＳ位置データ表示欄７１２も表示されている。
【０１０９】
ＧＰＳ位置データ表示欄７１２には、ＧＰＳ位置データの他、ＧＰＳ位置データ表示欄７１２に表示されているＧＰＳ位置データをメール送信するためのＭＡＩＬボタン７１３や、前画面に戻るＢＡＣＫボタン７１４も表示されている。
【０１１０】
そのため、ユーザが位置情報設定画面７１０に表示されている地図データ７１１を指でピンチアウトして図２１（ｃ）に示す位置情報設定画面７１０のように拡大したり移動させ、地図データ７１１に写真を撮影した看板設置場所を表示させる。
【０１１１】
そして、図２２（ａ）に示す位置情報設定画面７１０においてユーザが写真を撮影した看板設置場所をタップし（ステップＳ４０４“ＹＥＳ”）、さらにＭＡＩＬボタン７１３を押下すると（ステップＳ４０５“ＹＥＳ”）、ＣＰＵ１１は、図２２（ｂ）に示すような看板設置データフォルダ選択画面７２０をタッチパネル式表示部１５に表示する（ステップＳ４０６）。
【０１１２】
看板設置データフォルダ選択画面７２０には、図２２（ｂ）に示すように写真データ５１１の上に板面シルエット画像５８５と脚シルエット画像６２１とが合成され、図１２に示すステップＳ３００のシルエット作成処理のステップＳ３４２の処理で保存された１又は複数の看板設置データ１０００が保存されたフォルダのアイコン７２１が表示されている。
【０１１３】
そのため、ユーザが図２２（ｂ）に示す看板設置データフォルダ選択画面７２０に表示されているフォルダのアイコン７２１を選択すると（ステップＳ４０７“ＹＥＳ”）、ＣＰＵ１１は、図２２（ｃ）に示すような看板設置データ選択画面７３０をタッチパネル式表示部１５に表示する（ステップＳ４０８）。
【０１１４】
看板設置データ選択画面７３０には、図２２（ｃ）に示すように図１２に示すステップＳ３００のシルエット作成処理のステップＳ３４２の処理でこのフォルダに保存された１または複数の看板設置データ１０００、すなわち板面シルエット画像５８５と脚シルエット画像６２１とが合成された１または複数の写真データ５１１が表示されていると共に、看板設置データ１０００をメールに添付する処理を完了する完了ボタン７３１が表示されている。
【０１１５】
そのため、ユーザが図２２（ｃ）に示す看板設置データ選択画面７３０においてメールに添付すべき１又は複数の看板設置データ１０００をタップして選択し（ステップＳ４０９“ＹＥＳ”）、完了ボタン７３１を押下すると（ステップＳ４１０“ＹＥＳ”）、ＣＰＵ１１は、メールアプリ１６ａ５を起動して図２２（ｃ）に示す看板設置データ選択画面７３０においてユーザによって選択された１又は複数の看板設置データ１０００をメールに添付する（ステップＳ４１１）。
【０１１６】
次にＣＰＵ１１は、メールに添付された看板設置データ１０００をユーザに確認させるため、
図２３（ａ）に示すような一時ファイル削除確認画面７４０をタッチパネル式表示部１５に表示する（ステップＳ４１２）。
【０１１７】
一時ファイル削除確認画面７４０には、図２３（ａ）に示すように「確認  一時ファイルを削除して下さい」等のメッセージと共に、一時ファイルの削除処理を実行するＯＫボタン７４１や、一時ファイルの削除処理をキャンセルするためのキャンセルボタン７４２が表示されている。
【０１１８】
そのため、図２３（ａ）に示す一時ファイル削除確認画面７４０においてＯＫボタン７４１が選択されると（ステップＳ４１３“ＹＥＳ”）、ＣＰＵ１１は、図２３（ｂ）や図２３（ｃ）に示すような一時ファイル削除実行画面７５０を、メールに添付した１又は複数の看板設置データ１０００毎にタッチパネル式表示部１５に表示する（ステップＳ４１４）。
【０１１９】
一時ファイル削除実行画面７５０には、図２３（ｂ），（ｃ）に示すように「“カンバンＧＯ”にこの写真（看板設置データ１０００）の削除を許可しますか？」等のメッセージと共に、この写真（看板設置データ１０００）の削除処理を実行する削除ボタン７５１や、その削除処理を許可しない不許可ボタン７５２が表示されている。
【０１２０】
そのため、タッチパネル式表示部１５に表示される図２３（ｂ）または図２３（ｃ）に示すような一時ファイル削除実行画面７５０毎にユーザが削除ボタン７５１を選択すると（ステップＳ４１５“ＹＥＳ”）、メールに添付した１又は複数の看板設置データ１０００毎にタッチパネル式表示部１５が表示され（ステップＳ４１４）、ステップＳ４１１の処理でメールに添付した全ての看板設置データ１０００について削除ボタン７５１が選択されると（ステップＳ４１６“ＹＥＳ”）、ＣＰＵ１１は、図２４（ａ）に示すようなメール作成画面７６０をタッチパネル式表示部１５に表示する（ステップＳ４１７）。尚、一時ファイル削除実行画面７５０において削除ボタン７５１が選択されても、ストレージ部１６のデータ記憶エリア１６ｂに保存された看板設置データ１０００は削除されない。
【０１２１】
メール作成画面７６０には、例えば、図２４（ａ）に示すように看板設置データ１０００を構成する板面シルエット画像５８５、すなわち写真データ５１１に合成した板面シルエット画像５８５のサイズや、横長、縦長の形、さらには片面、両面、壁面等のテキストデータも記述可能であり、タッチパネル式表示部１５にキーボード（図示せず。）等を表示してユーザが直接入力したり、選択して入力する。
【０１２２】
またこのメール作成画面７６０には、図２４（ｂ）に示すようにさらにＧＰＳモジュール１７が生成した緯度、経度データや、ＧＰＳモジュール１７と地図アプリ１６ａ４等によって取得した看板設置箇所の住所、地図アプリ１６ａ４におけるＵＲＬデータ、さらにはメールに添付すべき１又は複数の看板設置データ１０００の画像データも表示されている。
【０１２３】
尚、メール作成画面７６０には、例えば、図２４（ａ）に示すように１又は複数の看板設置データ１０００を添付すると共に、板面シルエット画像５８５のサイズや、横長、縦長の形、片面、両面、壁面等のテキストデータが記述されたメールを送信させる送信ボタン７６１や、そのようなメールの送信をキャンセルするためのキャンセルボタン７６２が表示されている。
【０１２４】
そのため、ユーザが図２４（ａ）や図２４（ｂ）に示すような内容のメール作成画面７６０の送信ボタン７６１を選択すると（ステップＳ４１８“ＹＥＳ”）、ＣＰＵ１１は、メールアプリ１６ａ２によって１又は複数の看板設置データ１０００を添付され、かつ、メール作成画面７６０によって入力された看板およびその設置箇所に関するテキストデータや緯度、経度データ等が設定されたメールをデータ通信部１４からインターネット３を介して情報処理通信サーバ２へ送信する（ステップＳ４１９）。
【０１２５】
ステップＳ４１９による１又は複数の看板設置データ１０００を添付したメール送信後、ＣＰＵ１１は、図２４（ｃ）に示すようなメール送信完了画面７７０をタッチパネル式表示部１５に表示する（ステップＳ４２０）。
【０１２６】
メール送信完了画面７７０には、図２４（ｃ）に示すように「確認  メール送信に成功しました。」等のメッセージと共に、ＯＫボタン７７１が表示されており、ＯＫボタン７７１が選択されると（ステップＳ４２１“ＹＥＳ”）、ＣＰＵ１１は、図１６に詳細に示すステップＳ４００の位置情報設定・メール送信処理を終了して、図２に示すステップＳ１００のＴＯＰ画面５００の表示処理へ戻る。以上で情報処理通信端末１側の処理が修了する。
【０１２７】
（情報処理通信サーバ２側の動作＞
情報処理通信サーバ２では、情報処理通信端末１が図１６に示すステップＳ４００の位置情報設定・メール送信処理のステップＳ４１９のメール送信処理で送信した１又は複数の看板設置データ１０００が添付され、かつ、看板およびその設置箇所に関するテキストデータや緯度、経度データ等が設定されたメールを、インターネット３を介してデータ通信部２６が受信すると、情報処理通信サーバ２のＣＰＵ２１は、ストレージ部２３に格納された看板設置サービス提供プログラム２３ａ２を実行して、看板設置サービスを提供する。
【０１２８】
具体的には、情報処理通信サーバ２のＣＰＵ２１は、看板設置データ生成送信アプリ１６ａ２をダウンロードして実行した複数の情報処理通信端末１が送信したメールに添付されている１又は複数の看板設置データ１０００や、看板およびその設置箇所に関するテキストデータや緯度、経度データ等を、そのメール毎、すなわち看板設置箇所毎に表示部２５に表示したり、看板の設置を望むユーザの情報処理通信端末１でインターネット３を介して閲覧させて、気に入ったユーザに対しては看板のレンタル等の看板設置サービスを行う。
【０１２９】
看板の設置を望むユーザからすると、そのユーザの情報処理通信端末１の表示部には、看板設置箇所毎の１又は複数の看板設置データ１０００や看板およびその設置箇所に関するテキストデータや緯度、経度データ等が表示されており、看板設置データ１０００には看板設置箇所の写真データ５１１の上に設置予定である看板の板面の大きさや角度等を示す板面シルエット画像５８５や、その看板の脚の脚シルエット画像６２１が合成されて表示されるため、看板設置箇所の写真データ５１１のみが表示される場合よりも、看板を設置した風景や状況を具体的に把握することが容易となり、非常に有益な看板レンタル等の看板設置サービスを提供することができる。
【０１３０】
特に、本実施形態の看板設置データ１０００には、看板設置箇所の写真データ５１１上に板面シルエット画像５８５だけでなく、その看板の脚の脚シルエット画像６２１も合成するようにしたので、いわゆる脚を有する立て看板を具体的にイメージできると共に、脚シルエット画像６２１の下端部によってその看板の設置箇所をより具体的に認識することが可能となり、この点でも非常に有益な非常に有益な看板レンタル等の看板設置サービスを提供することができる。
【０１３１】
また、本実施形態の看板設置データ１０００は、看板設置箇所毎に１つではなく、同一の看板の設置場所について距離を離して、“看板設置箇所から約２０ｍくらい離れた近目、約５０ｍくらい離れた中目、約１００ｍくらい離れた遠目等の複数の画像データ５１１にそれぞれ板面シルエット画像５８５と脚シルエット画像６２１とを合成しているので、看板の設置を望むユーザの情報処理通信端末１の表示部で、同一の看板の設置場所について近目や中目、遠目等の複数の看板設置データ１０００を閲覧することが可能となり、この点でも非常に有益な非常に有益な看板レンタル等の看板設置サービスを提供することができる。
【０１３２】
＜実施形態の看板設置データ生成送信アプリ１６ａ２および情報処理通信端末１の効果＞
以上説明したように、本実施形態の情報処理通信端末１のＣＰＵ１１は、看板設置データ生成送信アプリ１６ａ２を実行することにより、ストレージ部１３に記憶された写真データをタッチパネル式表示部１５に表示させる写真データ表示制御手段１１ｂと、タッチパネル式表示部１５に表示された写真データ上に看板の画像データである看板画像データを合成して表示する看板画像データ生成合成手段１１ｃと、タッチパネル式表示部１５に表示された写真データと看板画像データとを少なくとも含む看板設置データをデータ通信部１４から送信させる看板設置データ送信制御手段１１ｄとして実行させる。
【０１３３】
そのため、本実施形態の情報処理通信端末１から看板設置データを受信して表示する情報処理サーバ２では、写真データ５１１上に板面シルエット画像５８５および脚シルエット画像６２１が合成された看板設置データ１０００を表示部に表示することによって、写真データ５１１によって実際の看板設置場所の状態を認識できる共に、写真データ５１１上に合成された板面シルエット画像５８５および脚シルエット画像６２１によって看板設置場所に設置される看板の状態を画面で簡単かつ確実に確認することができる。
【０１３４】
また、本実施形態の情報処理通信端末１は、いわゆるスマートホンやタブレット端末等のようにタッチパネル式表示部１５を備えており、ＣＰＵ１１は、看板画像データ生成合成手段１１ｃとして機能してユーザが当該看板設置場所に設置すべき看板の輪郭点をタッチすることにより看板の看板面の板面シルエット画像５８５を生成して写真データに重ね合わせてタッチパネル式表示部１５に表示するため、ユーザは簡単に写真データ５１１上に板面シルエット画像５８５を生成して写真データ５１１に合成することができる。
【０１３５】
また、本実施形態の情報処理通信端末１では、ＣＰＵ１１は、看板画像データ生成合成手段１１ｃとして機能してタッチパネル式表示部１５に表示した看板の設置場所の写真データ５１１を表示する際、所定ピッチで升目状のグリッド線５８１を重ね合わせて表示するように制御するため、ユーザは写真データ５１１上に看板の画像データである板面シルエット画像５８５や脚シルエット画像６２１を生成する際、鉛直方向や水平方向の基準となるので、写真データ５１１上に板面シルエット画像５８５や脚シルエット画像６２１を線が斜めにならないように簡単かつ確実に生成することができる。
【０１３６】
また、本実施形態の情報処理通信端末１では、ＣＰＵ１１は、看板画像データ生成合成手段１１ｃとして機能して、タッチパネル式表示部１５に表示された写真データ５１１上に看板の画像データである板面シルエット画像５８５や脚シルエット画像６２１を生成して、写真データ５１１上に板面シルエット画像５８５や脚シルエット画像６２１を合成して表示する際、データ保存エリアに複数の写真データが保存されている場合には、一の写真データで生成した看板画像データを保存しておき、保存した看板画像データを読み出して縮小または拡大して他の写真データ上に貼り付けることにより、写真データ上に看板画像データを合成して表示するよう制御する。
【０１３７】
そのため、看板の設置場所の写真データをデータ保存エリアに記憶させる際、同一設置場所について距離を変えて撮影した当該設置場所から近い地点から撮影した近目写真データと、当該設置場所から遠い地点から撮影した遠目写真データとを少なくとも含む複数の写真データを撮影してデータ保存エリアに記憶する際、保存した看板画像データを読み出して縮小または拡大して他の写真データ上に貼り付けることが可能となるので、写真データ上に看板画像データを重ね合わせた合成画像データを簡単に生成することができる。
【０１３８】
尚、上記実施形態の情報処理通信端末１では、画像データ等のデータを保存するデータ保存エリア１６ｂは当該情報処理通信端末１のストレージ部１６に設けて説明したが、本発明では、これに限らず、当該情報処理通信端末１のメモリ１３に設けても良いし、インターネット３を介した当該情報処理通信端末１とは別の装置であるクラウドサーバ（図示せず。）等に設けて、当該情報処理通信端末１以外の装置に画像データ等のデータを保存するように構成しても勿論良い。
【符号の説明】
【０１３９】
１  情報処理通信端末
１１  ＣＰＵ
１１ａ  写真データ記憶制御手段
１１ｂ  写真データ表示制御手段
１１ｃ  看板画像データ生成合成手段
１１ｄ  看板設置データ送信制御手段
１２  カメラ
１３  メモリ
１４  データ通信部
１５  タッチパネル式表示部
１６  ストレージ部
１６ａ  プログラム記憶エリア
１６ａ１  ＯＳ（オペレーティングシステム）プログラム
１６ａ２  看板画像データ生成送信アプリ（看板画像データ生成送信プログラム）
１６ａ３  カメラアプリ
１６ａ４  地図アプリ
１６ａ５  メールアプリ
１６ａ  データ記憶エリア
１７  ＧＰＳモジュール
２  情報処理通信サーバ
２１  ＣＰＵ
２２  メモリ
２３  ストレージ部
２３ａ  ＯＳ（オペレーティングシステム）プログラム
２３ｂ  看板設置サービスアプリ
２４  入力部
２５  表示部
２６  データ通信部
３  インターネット
【図１】
2018142229.tif 000003
【図２】
2018142229.tif 000004
【図３】
2018142229.tif 000005
【図４】
2018142229.tif 000006
【図５】
2018142229.tif 000007
【図６】
2018142229.tif 000008
【図７】
2018142229.tif 000009
【図８】
2018142229.tif 000010
【図９】
2018142229.tif 000011
【図１０】
2018142229.tif 000012
【図１１】
2018142229.tif 000013
【図１２】
2018142229.tif 000014
【図１３】
2018142229.tif 000015
【図１４】
2018142229.tif 000016
【図１５】
2018142229.tif 000017
【図１６】
2018142229.tif 000018
【図１７】
2018142229.tif 000019
【図１８】
2018142229.tif 000020
【図１９】
2018142229.tif 000021
【図２０】
2018142229.tif 000022
【図２１】
2018142229.tif 000023
【図２２】
2018142229.tif 000024
【図２３】
2018142229.tif 000025
【図２４】
2018142229.tif 000026
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
少なくともカメラと、データを送受信するデータ通信部と、表示部とを備えた情報処理通信端末を、
前記カメラが撮影した看板の設置場所の写真データをデータ保存エリアに記憶させる写真データ記憶制御手段と、
前記データ保存エリアに記憶された前記写真データを前記表示部に表示させる写真データ表示制御手段と、
前記表示部に表示された前記写真データ上に看板の板面に掲載すべき広告内容を掲載しない看板の板面のシルエット画像である板面シルエット画像を生成して、前記写真データ上に前記板面シルエット画像を合成して表示するシルエット画像生成合成表示制御手段と、
前記表示部に表示された前記写真データと前記板面シルエット画像とを少なくとも含む看板設置データを前記データ通信部から送信させる看板設置データ送信制御手段として実行させることを特徴とする看板設置データ生成送信プログラム。
【請求項２】
請求項１に記載の看板設置データ生成送信プログラムにおいて、
前記情報処理通信端末の表示部は、タッチパネル式の表示部であり、
前記シルエット画像生成合成表示制御手段は、
前記表示部に表示された前記写真データ上で、ユーザが看板の輪郭点をタッチすることにより前記板面シルエット画像を生成して前記写真データに重ね合わせて前記表示部に表示することを特徴とする看板設置データ生成送信プログラム。
【請求項３】
請求項１または請求項２に記載の看板設置データ生成送信プログラムにおいて、
前記シルエット画像生成合成表示制御手段は、
前記板面シルエット画像を生成する際にさらに前記板面シルエット画像に看板の脚部のシルエット画像である脚シルエット画像を追加して前記表示部に表示された前記写真データに重ね合わせて前記表示部に表示することを特徴とする看板設置データ生成送信プログラム。
【請求項４】
請求項１〜請求項３のいずれか一の請求項に記載の看板設置データ生成送信プログラムにおいて、
前記シルエット画像生成合成表示制御手段は、さらに、
前記表示部に表示された前記写真データ上に前記板面シルエット画像を生成する際に基準となる所定ピッチで升目状のグリッド線を重ね合わせて表示することを特徴とする看板設置データ生成送信プログラム。
【請求項５】
請求項１〜請求項４のいずれか一の請求項に記載の看板設置データ生成送信プログラムにおいて、
前記シルエット画像生成合成表示制御手段は、
前記表示部に表示された前記写真データ上に前記板面シルエット画像を生成して、前記写真データ上に前記板面シルエット画像を合成して表示する際、前記データ保存エリアに複数の写真データが保存されている場合には、一の写真データで生成した板面シルエット画像を保存しておき、保存した板面シルエット画像を読み出して縮小または拡大して他の写真データ上に貼り付けることにより、前記写真データ上に前記板面シルエット画像を合成して表示するよう制御することを特徴とする看板設置データ生成送信プログラム。
【請求項６】
請求項１〜請求項５のいずれか一の請求項に記載の看板設置データ生成送信プログラムにおいて、
前記写真データ記憶制御手段は、
前記カメラが撮影した看板の設置場所の写真データをデータ保存エリアに記憶させる際、同一の看板設置箇所について距離を離した複数の写真データを撮影して前記データ保存エリアに記憶しない場合には、前記写真データ表示制御手段による当該データ保存エリアに記憶された前記写真データを前記表示部に表示させる処理に移行できないように制御することを特徴とする看板設置データ生成送信プログラム。
【請求項７】
請求項１〜請求項６のいずれか一の請求項に記載の看板設置データ生成送信プログラムを実行することを特徴とする情報処理通信端末。
【請求項８】
請求項７に記載の看板設置データ生成送信プログラムを実行する情報処理通信端末から受信した前記看板設置データを受信するデータ受信手段と、
前記データ受信手段によって受信された前記看板設置データを複数表示させると共に、複数表示された前記看板設置データをユーザに選択させる看板設置データ選択画面を生成して自装置またはユーザの情報処理通信端末に表示させ、前記看板設置データに基づく看板設置サービスを提供する看板設置サービス提供手段とを有する情報処理通信サーバ。
【手続補正２】
【補正対象書類名】明細書
【補正対象項目名】０００８
【補正方法】変更
【補正の内容】
【０００８】
前記課題を解決するため、本発明に係る看板設置データ生成送信プログラムでは、少なくともカメラと、データを送受信するデータ通信部と、表示部とを備えた情報処理通信端末を、前記カメラが撮影した看板の設置場所の写真データをデータ保存エリアに記憶させる写真データ記憶制御手段と、前記データ保存エリアに記憶された前記写真データを前記表示部に表示させる写真データ表示制御手段と、前記表示部に表示された前記写真データ上に看板の板面に掲載すべき広告内容を掲載しない看板の板面のシルエット画像である板面シルエット画像を生成して、前記写真データ上に前記板面シルエット画像を合成して表示するシルエット画像生成合成表示制御手段と、前記表示部に表示された前記写真データと前記板面シルエット画像とを少なくとも含む看板設置データを前記データ通信部から送信させる看板設置データ送信制御手段として実行させることを特徴とする第１の特徴とする。
また、本発明に係る看板設置データ生成送信プログラムでは、前記情報処理通信端末の表示部は、タッチパネル式の表示部であり、前記シルエット画像生成合成表示制御手段は、前記表示部に表示された前記写真データ上で、ユーザが看板の輪郭点をタッチすることにより前記板面シルエット画像を生成して前記写真データに重ね合わせて前記表示部に表示することを第２の特徴とする。
また、本発明に係る看板設置データ生成送信プログラムでは、前記シルエット画像生成合成表示制御手段は、前記板面シルエット画像を生成する際にさらに前記板面シルエット画像に看板の脚部のシルエット画像である脚シルエット画像を追加して前記表示部に表示された前記写真データに重ね合わせて前記表示部に表示することを第３の特徴とする。
また、本発明に係る看板設置データ生成送信プログラムでは、前記シルエット画像生成合成表示制御手段は、さらに、前記表示部に表示された前記写真データ上に前記板面シルエット画像を生成する際に基準となる所定ピッチで升目状のグリッド線を重ね合わせて表示することを第４の特徴とする。
また、本発明に係る看板設置データ生成送信プログラムでは、前記シルエット画像生成合成表示制御手段は、前記表示部に表示された前記写真データ上に前記板面シルエット画像を生成して、前記写真データ上に前記板面シルエット画像を合成して表示する際、前記データ保存エリアに複数の写真データが保存されている場合には、一の写真データで生成した板面シルエット画像を保存しておき、保存した板面シルエット画像を読み出して縮小または拡大して他の写真データ上に貼り付けることにより、前記写真データ上に前記板面シルエット画像を合成して表示するよう制御することを第５の特徴とする。
また、本発明に係る看板設置データ生成送信プログラムでは、前記写真データ記憶制御手段は、前記カメラが撮影した看板の設置場所の写真データをデータ保存エリアに記憶させる際、同一の看板設置箇所について距離を離した複数の写真データを撮影して前記データ保存エリアに記憶しない場合には、前記写真データ表示制御手段による当該データ保存エリアに記憶された前記写真データを前記表示部に表示させる処理に移行できないように制御することを第６の特徴とする。
また、本発明に係る情報処理通信端末は、上述のいずれかの看板設置データ生成送信プログラムを実行することを特徴とする。
また、本発明に係る情報処理通信サーバは、上述の看板設置データ生成送信プログラムを実行する情報処理通信端末から受信した前記看板設置データを受信するデータ受信手段と、前記データ受信手段によって受信された前記看板設置データを複数表示させると共に、複数表示された前記看板設置データをユーザに選択させる看板設置データ選択画面を生成して自装置またはユーザの情報処理通信端末に表示させ、前記看板設置データに基づく看板設置サービスを提供する看板設置サービス提供手段とを有することを特徴とする。
【手続補正３】
【補正対象書類名】明細書
【補正対象項目名】０００９
【補正方法】変更
【補正の内容】
【０００９】
本発明に係る看板設置データ生成送信プログラム、およびその看板設置データ生成送信プログラムを実行する情報処理通信端末、情報処理通信サーバによれば、情報処理通信端末では、カメラによって撮影した写真データに看板の板面に掲載すべき広告内容を掲載しない看板の板面のシルエット画像である板面シルエット画像を生成して合成して表示すると共に、その写真データと合成した板面シルエット画像とを少なくとも含む看板設置データが情報処理通信サーバに送信し、情報処理通信サーバではその看板設置データを受信して複数表示させると共に、複数表示された看板設置データをユーザに選択させる看板設置データ選択画面を生成して自装置またはユーザの情報処理通信端末に表示させる。
そのため、情報処理通信サーバやユーザの情報処理通信端末では、撮影した写真データに少なくとも板面シルエット画像が合成されて表示されるので、実際の看板設置場所の状態と、その看板設置場所に設置される看板の状態とを画面で簡単かつ確実に確認することができる。
【手続補正４】
【補正対象書類名】明細書
【補正対象項目名】００１５
【補正方法】変更
【補正の内容】
【００１５】
ＣＰＵ１１は、ストレージ部１６に記憶されたオペレーションプログラム１６ａの実行の下、本装置全体を制御すると共に、各種のアプリケーションプログラム（以下、アプリと略す場合あり。）を実行して各種のアプリの機能を達成するように構成されている。特に、ＣＰＵ１１が本発明に係る看板設置データ生成送信プログラム１６ａ２を実行した場合には、後述するように本発明の写真データ記憶制御手段１１ａ、写真データ表示制御手段１１ｂ、シルエット画像生成合成表示制御手段１１ｃ、看板設置データ送信制御手段１１ｄとして機能する。
【手続補正５】
【補正対象書類名】明細書
【補正対象項目名】００５４
【補正方法】変更
【補正の内容】
【００５４】
シルエット作成画面５８０では、図８に示すように、写真データ５１１が表示されていると共に、写真データ５１１の上に看板の板面に掲載すべき広告内容を掲載しない看板の板面のシルエット画像である板面シルエット画像５８５を作成し易いように、板面シルエット画像５８５を生成する際に基準となる所定ピッチの升目状、すなわち方眼紙状の縦横のグリッド線５８１を重ね合わせて表示する。
【手続補正６】
【補正対象書類名】明細書
【補正対象項目名】００５５
【補正方法】変更
【補正の内容】
【００５５】
そのため、ユーザが写真データ５１１の上に板面シルエット画像５８５を作成する際に、所定ピッチのグリッド線５８１を参考にして板面シルエット画像５８５が斜めに傾く等せず、簡単かつ確実に板面シルエット画像５８５を作成することができる。
【手続補正７】
【補正対象書類名】明細書
【補正対象項目名】０１３２
【補正方法】変更
【補正の内容】
【０１３２】
＜実施形態の看板設置データ生成送信アプリ１６ａ２および情報処理通信端末１の効果＞
以上説明したように、本実施形態の情報処理通信端末１のＣＰＵ１１は、看板設置データ生成送信アプリ１６ａ２を実行することにより、ストレージ部１３に記憶された写真データをタッチパネル式表示部１５に表示させる写真データ表示制御手段１１ｂと、タッチパネル式表示部１５に表示された写真データ上に少なくとも看板の板面に掲載すべき広告内容を掲載しない看板の板面のシルエット画像である板面シルエット画像５８５を合成して表示するシルエット画像生成合成表示制御手段１１ｃと、タッチパネル式表示部１５に表示された写真データと板面シルエット画像５８５とを少なくとも含む看板設置データをデータ通信部１４から送信させる看板設置データ送信制御手段１１ｄとして実行させる。
【手続補正８】
【補正対象書類名】明細書
【補正対象項目名】０１３４
【補正方法】変更
【補正の内容】
【０１３４】
また、本実施形態の情報処理通信端末１は、いわゆるスマートホンやタブレット端末等のようにタッチパネル式表示部１５を備えており、ＣＰＵ１１は、シルエット画像生成合成表示制御手段１１ｃとして機能してユーザが当該看板設置場所に設置すべき看板の輪郭点をタッチすることにより看板の看板面の板面シルエット画像５８５を生成して写真データに重ね合わせてタッチパネル式表示部１５に表示するため、ユーザは簡単に写真データ５１１上に板面シルエット画像５８５を生成して写真データ５１１に合成することができる。
【手続補正９】
【補正対象書類名】明細書
【補正対象項目名】０１３５
【補正方法】変更
【補正の内容】
【０１３５】
また、本実施形態の情報処理通信端末１では、ＣＰＵ１１は、シルエット画像生成合成表示制御手段１１ｃとして機能してタッチパネル式表示部１５に表示した看板の設置場所の写真データ５１１を表示する際、所定ピッチで升目状のグリッド線５８１を重ね合わせて表示するように制御するため、ユーザは写真データ５１１上に看板の板面や脚部のシルエット画像である板面シルエット画像５８５や脚シルエット画像６２１を生成する際、鉛直方向や水平方向の基準となるので、写真データ５１１上に板面シルエット画像５８５や脚シルエット画像６２１を線が斜めにならないように簡単かつ確実に生成することができる。
【手続補正１０】
【補正対象書類名】明細書
【補正対象項目名】０１３６
【補正方法】変更
【補正の内容】
【０１３６】
また、本実施形態の情報処理通信端末１では、ＣＰＵ１１は、シルエット画像生成合成表示制御手段１１ｃとして機能して、タッチパネル式表示部１５に表示された写真データ５１１上に看板の板面や脚部のシルエット画像である板面シルエット画像５８５や脚シルエット画像６２１を生成して、写真データ５１１上に板面シルエット画像５８５や脚シルエット画像６２１を合成して表示する際、データ保存エリアに複数の写真データが保存されている場合には、一の写真データで生成した板面シルエット画像５８５や脚シルエット画像６２１を保存しておき、保存した板面シルエット画像５８５や脚シルエット画像６２１を読み出して縮小または拡大して他の写真データ上に貼り付けることにより、写真データ上に板面シルエット画像５８５や脚シルエット画像６２１を合成して表示するよう制御する。
【手続補正１１】
【補正対象書類名】明細書
【補正対象項目名】０１３７
【補正方法】変更
【補正の内容】
【０１３７】
そのため、看板の設置場所の写真データをデータ保存エリアに記憶させる際、同一設置場所について距離を変えて撮影した当該設置場所から近い地点から撮影した近目写真データと、当該設置場所から遠い地点から撮影した遠目写真データとを少なくとも含む複数の写真データを撮影してデータ保存エリアに記憶する際、保存した板面シルエット画像５８５や脚シルエット画像６２１を読み出して縮小または拡大して他の写真データ上に貼り付けることが可能となるので、写真データ上に板面シルエット画像５８５や脚シルエット画像６２１を重ね合わせた合成画像データを簡単に生成することができる。
【手続補正１２】
【補正対象書類名】明細書
【補正対象項目名】０１３９
【補正方法】変更
【補正の内容】
【０１３９】
１  情報処理通信端末
１１  ＣＰＵ
１１ａ  写真データ記憶制御手段
１１ｂ  写真データ表示制御手段
１１ｃ  シルエット画像生成合成表示制御手段
１１ｄ  看板設置データ送信制御手段
１２  カメラ
１３  メモリ
１４  データ通信部
１５  タッチパネル式表示部
１６  ストレージ部
１６ａ  プログラム記憶エリア
１６ａ１  ＯＳ（オペレーティングシステム）プログラム
１６ａ２  看板設置データ生成送信アプリ（看板設置データ生成送信プログラム）
１６ａ３  カメラアプリ
１６ａ４  地図アプリ
１６ａ５  メールアプリ
１６ａ  データ記憶エリア
１７  ＧＰＳモジュール
２  情報処理通信サーバ
２１  ＣＰＵ
２２  メモリ
２３  ストレージ部
２３ａ  ＯＳ（オペレーティングシステム）プログラム
２３ｂ  看板設置サービスアプリ
２４  入力部
２５  表示部
２６  データ通信部
３  インターネット
【手続補正１３】
【補正対象書類名】図面
【補正対象項目名】図１
【補正方法】変更
【補正の内容】
【図１】
2018142229.tif 000027